(57)【特許請求の範囲】
【請求項１】
造形対象物の形象の平面画像を立体的に表した本体を、厚みを有する芯材を彫刻して造形する造形工程であって、前記平面画像において前記造形対象物を複数の部位に区分けし、前記芯材から前記造形対象物の各部位の輪郭に沿った複数のパーツを切り出し、前記複数のパーツをパーツ毎に所定の形状となるよう加工することで前記複数のパーツの組み合わせにより前記本体を造形する造形工程と、
前記平面画像に基づいて前記造形対象物の画像データを作成するデータ化工程であって、前記造形対象物の部位毎に画像データを作成するデータ化工程と、
前記造形対象物の画像データが印刷されたラッピングシールを作成するシール作成工程であって、前記造形対象物の部位毎の画像データが印刷された複数のラッピングシールを作成するシール作成工程と、
前記本体の表面に前記ラッピングシールを貼り付ける貼付工程であって、前記複数のパーツの表面に、パーツ毎に前記複数のラッピングシールの中の対応するラッピングシールを貼り付ける貼付工程と、
前記複数のパーツが切り出された前記芯材を前記複数のパーツよりも薄く加工した後、前記芯材の表面に背景を施す背景作成工程と、
前記貼付工程後の前記複数のパーツを前記背景作成工程後の前記芯材に嵌め込んで前記芯材と一体化する一体化工程と、を含む、平面画像の立体化法。
【請求項２】
造形対象物の形象の平面画像を立体的に表した本体を、厚みを有する芯材を彫刻して造形する造形工程であって、前記芯材から前記本体を切り出して所定の形状に造形する造形工程と、
前記平面画像に基づいて前記造形対象物の画像データを作成するデータ化工程と、
前記造形対象物の画像データが印刷されたラッピングシールを作成するシール作成工程と、
前記本体の表面に前記ラッピングシールを貼り付ける貼付工程と、
前記本体が切り出された前記芯材を前記本体よりも薄く加工した後、前記芯材の表面に背景を施す背景作成工程と、
前記貼付工程後の前記本体を前記背景作成工程後の前記芯材に嵌め込んで前記芯材と一体化する一体化工程と、を含む、平面画像の立体化法。
【請求項３】
前記データ化工程において作成される前記造形対象物の各部位の画像データは、前記造形対象物の全体画像データから該部位の輪郭で切り取った実画像データを拡張することで形成される、請求項１に記載の平面画像の立体化法。
【請求項４】
前記造形対象物の各部位の画像データは、該部位の前記実画像データと、前記実画像データの周囲の少なくとも一部に付け加えられた付加画像データとからなる、請求項３に記載の平面画像の立体化法。
【発明の詳細な説明】
【技術分野】
【０００１】
本発明は、立体造形物、平面画像の立体化法、立体プレートの製造方法、及びメス型の製造方法に関する。
【背景技術】
【０００２】
立体看板は、会社の商品やキャラクターを立体的に表現した看板である。立体看板などの立体造形物を製造するための既存の一般的な方法としては、例えば粘土などを用いて原型を制作し、石膏などで型取りを行ってメス型を制作した後、メス型に樹脂を注入し、樹脂の硬化後、脱型して立体造形物の本体を造形した後、本体の表面を研磨及び塗装し、塗料を乾燥させることで立体造形物を得る方法がある。しかし、この方法では、塗装の工程で材料費がかかるとともに、材料の乾燥・硬化時間が長いために作業時間がかかる。そのために立体造形物の価格を上げざるを得ないという課題がある。また、塗装の工程で専門的知識及び高度な技術が必要であるため、作業者により完成後の立体造形物の出来に差が出るとの課題がある。
【０００３】
その他の方法として、発泡スチロールなどを切削して立体造形物の本体を造形し、本体の表面に硬質ウレタンなどを塗布してすることでコーティングを行い、その後、本体の表面を塗装することで立体造形物を得る方法がある（例えば特許文献１を参照）。この方法においても、塗装の工程で専門的知識及び高度な技術が必要であり、作業者により完成後の立体造形物の出来に差が出るうえ、材料費や作業時間がかかるといった課題がある。
【先行技術文献】
【特許文献】
【０００４】
【特許文献１】特開２００３−１８２３００号公報
【発明の概要】
【発明が解決しようとする課題】
【０００５】
本発明は、上述した従来の造形方法における課題であった「高価格」、「高い専門的知識・技術の要求」を解決するためになされたものであり、写真などの平面画像に表現されている物を、実物同様のモデル（立体造形物や立体プレート）に立体化する技術を提供し、立体造形物を簡易にかつ安価で製造することを目的とする。
【課題を解決するための手段】
【０００６】
本発明の第１態様は、平面画像の立体化法に関する。本発明の平面画像の立体化法は、造形対象物の形象の平面画像を立体的に表した本体を造形する造形工程と、前記平面画像に基づいて前記造形対象物の画像データを作成するデータ化工程と、前記造形対象物の画像データが印刷されたラッピングシールを作成するシール作成工程と、前記本体の表面に前記ラッピングシールを貼り付ける貼付工程と、を含むことを特徴としている。
【０００７】
本発明の平面画像の立体化法において好ましい実施態様は、前記本体は、厚みを有する芯材を彫刻して造形することを特徴としている。
【０００８】
この実施態様の平面画像の立体化方法においては、前記造形工程では、前記平面画像において前記造形対象物を複数の部位に区分けし、前記芯材から前記造形対象物の各部位の輪郭に沿った複数のパーツを切り出し、前記複数のパーツをパーツ毎に所定の形状となるよう加工することで前記複数のパーツの組み合わせにより前記本体を造形し、前記データ化工程では、前記造形対象物の部位毎に画像データを作成し、前記シール作成工程では、前記造形対象物の部位毎の画像データが印刷された複数のラッピングシールを作成し、前記貼付工程では、前記複数のパーツの表面に、パーツ毎に前記複数のラッピングシールの中の対応するラッピングシールを貼り付けることが好ましい。さらに、この実施態様の平面画像の立体化方法においては、前記複数のパーツが切り出された前記芯材を前記複数のパーツよりも薄く加工した後、前記芯材の表面に背景を施す背景作成工程と、前記貼付工程後の前記複数のパーツを前記背景作成工程後の前記芯材に嵌め込んで前記芯材と一体化する一体化工程と、をさらに含むことが好ましい。
【０００９】
なお、この実施態様の平面画像の立体化方法においては、前記造形工程では、前記芯材から前記本体を切り出して所定の形状に造形していてもよく、かつ、前記本体が切り出された前記芯材を前記本体よりも薄く加工した後、前記芯材の表面に背景を施す背景作成工程と、前記貼付工程後の前記本体を前記背景作成工程後の前記芯材に嵌め込んで前記芯材と一体化する一体化工程と、をさらに含んでいてもよい。
【００１０】
また、本発明の平面画像の立体化法において好ましい実施態様は、前記造形工程では、前記平面画像において前記造形対象物を複数の部位に区分けし、前記本体を前記造形対象物の複数の部位に対応して複数のパーツに分割し、前記複数のパーツをパーツ毎に所定の形状となるよう加工することで前記複数のパーツの組み合わせにより前記本体を造形し、前記データ化工程では、前記造形対象物の部位毎に画像データを作成し、前記シール作成工程では、前記造形対象物の部位毎の画像データが印刷された複数のラッピングシールを作成し、前記貼付工程では、前記複数のパーツの表面に、パーツ毎に前記複数のラッピングシールの中の対応するラッピングシールを貼り付けることを特徴としている。
【００１１】
また、本発明の平面画像の立体化法において好ましい実施態様は、前記造形工程では、前記平面画像において前記造形対象物を複数の部位に区分けし、前記本体を前記造形対象物の複数の部位に対応して複数のパーツに分割し、前記複数のパーツをパーツ毎に所定の形状となるよう加工することで前記複数のパーツの組み合わせにより前記本体を造形し、前記貼付工程では、前記複数のパーツの表面に、１枚の前記ラッピングシールをまとめて貼り付けることを特徴としている。
【００１２】
また、本発明の平面画像の立体化法において好ましい実施態様は、前記データ化工程では、前記平面画像において複数の部位に区分けされた前記造形対象物の部位毎に画像データを作成し、前記シール作成工程では、前記造形対象物の部位毎の画像データが印刷された複数のラッピングシールを作成し、前記貼付工程では、前記複数のラッピングシールを個別に前記本体の対応する部位の表面に貼り付けることを特徴としている。
【００１３】
また、本発明の平面画像の立体化法において好ましい実施態様は、前記本体には、１又は複数の空気吸出し用の穴が形成されており、前記貼付工程では、前記本体と前記ラッピングシールとの間の空気を吸い出しながら前記本体に対する前記ラッピングシールの貼付が行われることを特徴としている。
【００１４】
上述した本発明の平面画像の立体化法において、前記データ化工程で前記造形対象物の部位毎に画像データを作成する実施態様では、前記データ化工程において作成される前記造形対象物の各部位の画像データは、前記造形対象物の全体画像データから該部位の輪郭で切り取った実画像データを拡張することで形成されることが好ましい。この実施態様の平面画像の立体化方法においては、前記造形対象物の各部位の画像データは、該部位の前記実画像データと、前記実画像データの周囲の少なくとも一部に付け加えられた付加画像データとからなることがさらに好ましい。
【００１５】
また、本発明の平面画像の立体化法において好ましい実施態様は、板材の表面において前記本体を位置させる領域の周囲に背景を施す背景作成工程と、前記貼付工程後の前記本体を前記領域に位置するように前記背景作成工程後の前記板材の表面に設置して前記板材と一体化する一体化工程と、をさらに含むことを特徴としている。
【００１６】
本発明の第２態様は、平面画像を立体化した立体造形物に関する。本発明の立体造形物は、造形対象物の形象の平面画像に由来した画像データが印刷された１又は複数のラッピングシールが、前記平面画像を立体的に表した本体の表面に貼り付けられていることを特徴としている。
【００１７】
本発明の立体造形物において好ましい実施態様は、前記複数のラッピングシールは、前記平面画像における前記造形対象物の複数の部位に関する画像データがそれぞれ印刷されており、前記本体は、前記造形対象物の複数の部位に対応して複数のパーツに分割されており、前記複数のパーツがパーツ毎に所定の形状となるよう加工されていることで前記複数のパーツの組み合わせにより前記本体が立体形状とされており、前記複数のパーツの表面に、パーツ毎に前記複数のラッピングシールの中の対応するラッピングシールが貼り付けられることを特徴としている。この実施態様の立体造形物においては、さらに、前記パーツの表面に貼り付けられたラッピングシールの一部は、該パーツに隣接する他のパーツとの間に挟まれていることが好ましい。
【００１８】
また、本発明の立体造形物において好ましい実施態様は、前記本体は、前記平面画像における前記造形対象物の複数の部位に対応して複数のパーツに分割されており、前記複数のパーツがパーツ毎に所定の形状となるよう加工されていることで前記複数のパーツの組み合わせにより前記本体が立体形状とされており、前記複数のパーツの表面に、１枚の前記ラッピングシールがまとめて貼り付けられることを特徴としている。
【００１９】
また、本発明の立体造形物において好ましい実施態様は、前記複数のラッピングシールは、前記平面画像における前記造形対象物の複数の部位に関する画像データがそれぞれ印刷されており、前記複数のラッピングシールが個別に前記本体の対応する部位の表面に貼り付けられることを特徴としている。
【００２０】
また、本発明の立体造形物において好ましい実施態様は、１枚の前記ラッピングシールが前記本体の表面に貼り付けられ、前記本体には、前記本体に対する前記ラッピングシールの貼付の際に前記本体と前記ラッピングシールとの間の空気を吸い出すための１又は複数の穴が形成されていることを特徴としている。
【００２１】
また、本発明の立体造形物において好ましい実施態様は、表面の前記本体を位置させる領域の周囲に背景が施された板材をさらに備え、前記本体が前記領域に位置するように前記板材の表面に前記本体が設置されて前記板材と一体化されていることを特徴としている。
【００２２】
本発明の第３態様は、平面画像を立体化した立体プレートの製造方法に関する。本発明の立体プレートの製造方法は、造形対象物の形象の平面画像を立体的に表した本体を造形する造形工程であって、前記平面画像において前記造形対象物を複数の部位に区分けし、前記本体を前記造形対象物の複数の部位に対応して複数のパーツに分割し、前記複数のパーツをパーツ毎に所定の形状となるよう加工することで前記複数のパーツの組み合わせにより前記本体を造形する造形工程と、前記平面画像に基づいて前記造形対象物の画像データを作成するデータ化工程と、前記造形対象物の画像データが印刷されたラッピングシールが表面に貼り付けられたプラスチック板、もしくは前記造形対象物の画像データが表面に直接印刷されたプラスチック板を前記本体の表面に対して、前記プラスチック板と前記本体との間をバキュームしながらヒートプレスする工程と、前記プラスチック板から前記本体を取り外す工程と、を含むことを特徴としている。
【００２３】
また、本発明の立体プレートの製造方法は、造形対象物の形象の平面画像を立体的に表した本体を造形する造形工程であって、前記平面画像において前記造形対象物を複数の部位に区分けし、前記本体を前記造形対象物の複数の部位に対応して複数のパーツに分割し、前記複数のパーツをパーツ毎に所定の形状となるよう加工する造形工程と、前記平面画像に基づいて前記造形対象物の画像データを作成するデータ化工程であって、前記造形対象物の部位毎に画像データを作成するデータ化工程と、前記造形対象物の部位毎の画像データが印刷された複数のラッピングシールが個別に表面に貼り付けられた複数のプラスチック板、もしくは前記造形対象物の部位毎の画像データが個別に表面に直接印刷された複数のプラスチック板を前記複数のパーツの表面に対して、パーツ毎に対応するプラスチック板と前記パーツとの間をバキュームしながらヒートプレスする工程と、前記複数のプラスチック板から前記複数のパーツを取り外す工程と、前記複数のプラスチック板を組み合わせて一体化する工程と、を含むことを特徴としている。
【００２４】
本発明の第４態様は、平面画像を立体化した立体造形物を製造するために用いるメス型の製造方法に関する。本発明のメス型の製造方法は、厚みを有する芯材を彫刻して、造形対象物の形象の平面画像を立体的に表した本体を造形する造形工程と、前記本体を原型として用いることでメス型を製造する工程と、を含み、前記造形工程では、前記平面画像において前記造形対象物を複数の部位に区分けし、前記芯材から前記造形対象物の各部位の輪郭に沿った複数のパーツを切り出し、前記複数のパーツをパーツ毎に所定の形状となるよう加工することで前記複数のパーツの組み合わせにより前記本体を造形することを特徴としている。
【発明の効果】
【００２５】
本発明によれば、写真などの平面画像に表現されている物を立体化したうえで、立体化した本体に平面画像に基づき作成されたラッピングシールを貼り付けることで立体造形物としているので、立体造形物を、高い専門的知識や技術がなくても簡易にかつ安価で製造することができる。また、完成後の立体造形物のおおよその仕上がりを事前に把握することができる。
【００２６】
また、表面に造形対象物の画像データが印刷されたラッピングシールを貼付したもしくは造形対象物の画像データを印刷した立体プレートを容易に製造することができる。また、本発明によれば、平面画像を立体化した立体造形物を製造するために用いるメス型を容易に製造することができるので、立体造形物を容易に製造することができる。
【図面の簡単な説明】
【００２７】
【図１】本実施形態の平面画像の立体化法の各工程の流れを示すチャート図である。
【図２】平面画像より作成した線図の平面図である。
【図３】芯材から複数のパーツが切り出された状態を示す斜視図である。
【図４】切削加工後の複数のパーツを組み合わせて、背景作成後の芯材に一体化した状態を示す斜視図である。
【図５】本体の表面形状を調整した後の状態を示す斜視図である。
【図６】造形対象物の各部位に対応する画像データの平面図である。
【図７】複数のパーツに対応するラッピングシールを貼り付ける作業を説明する斜視図である。
【図８】ラッピングシールが貼り付けられた複数のパーツを組み合わせて背景が施された芯材に一体化する状態を示す斜視図である。
【図９】立体造形物の斜視図である。
【図１０】本実施形態の平面画像の立体化法と従来の立体造形法とについて、工程の簡略手順及び各工程での作業時間を比較した説明図である。
【図１１】変形例１〜４の平面画像の立体化法を簡略して説明する説明図である。
【図１２】変形例５〜７の平面画像の立体化法を簡略して説明する説明図である。
【図１３】本実施形態のメス型の製造方法の流れを示す工程図である。
【図１４】本実施形態の立体プレートの製造方法の流れを示す工程図である。
【図１５】変形例の立体プレートの製造方法の流れを示す工程図である。
【発明を実施するための形態】
【００２８】
以下、本発明の実態形態について添付図面を参照して説明する。本発明は、造形対象物の形象を写した平面画像から実物同様のモデル（立体造形物や立体プレート）を製造する技術に関する。平面画像としては、例えば写真、絵画、スケッチ、設計図面などを挙げることができるが、造形対象物の形象を二次元で表したものであればこれらに限定されるものではなく、種々のものを用いることができる。製造される立体造形物の用途としては、例えば立体看板、装飾用品、食品サンプルなどを挙げることができるが、これらに限定されるものではない。また、造形対象物は、例えば商品やキャラクターなどの人工物、山や木などの天然物、動物、食物（料理）などを挙げることができるが、これらに限定されるものではなく、例えば文字や記号などであってもよい。
【００２９】
図１に示すように、本実施形態の平面画像の立体化法は、造形対象物の形象の平面画像を立体的に表した本体を造形する造形工程Ｓ１と、本体の表面に下地材を塗布するコーティング工程Ｓ２と、平面画像に基づいて造形対象物の画像データを作成するデータ化工程Ｓ３と、造形対象物の画像データが印刷されたラッピングシールを作成するシール作成工程Ｓ４と、コーティング工程Ｓ２後の本体の表面にラッピングシールを貼り付ける貼付工程Ｓ５と、を含む。以下、各工程について詳細に説明する。
【００３０】
造形工程Ｓ１では、造形対象物の形象の平面画像を立体的に表すに際し、まず、平面画像において造形対象物を複数の部位に区分けする作業（区分け工程Ｓ１０）を行う。具体的には、平面画像において、まず、立体的に表す造形対象物の部分と、立体的に表さない背景の部分とに分け、次に、造形対象物の部分について、造形対象物を構成する各部位の輪郭を抽出する。そして、図２に示すように、造形対象物１の各部位１０Ａ〜１０Ｎの輪郭を線で表した造形対象物１の線図４を作成する。本実施形態では、造形対象物１がハンバーガーであり、造形対象物１は上下のバンズ１０Ａ，１０Ｂ及び中身の各具材１０Ｃ〜１０Ｎの各部位１０Ａ〜１０Ｎに区分けされている。
【００３１】
本実施形態では、厚みを有する芯材を彫刻して本体を造形する例を示している。そのため、造形工程Ｓ１では、次に、図３に示すように、芯材５から、平面画像における造形対象物１の各部位１０Ａ〜１０Ｎの輪郭に沿った複数のパーツ６０Ａ〜６０Ｎを切り出す作業（カット工程Ｓ１１）が行われる。例えば、線図４を芯材５の上に固定し、線図４に表された造形対象物１の各部位１０Ａ〜１０Ｎの輪郭に沿って芯材５をカットすることで、芯材５から複数のパーツ６０Ａ〜６０Ｎを切り出す。カット工程Ｓ１１は、手作業で行われてもよいし、造形対象物の線図データに基づいて自動裁断機やレーザー加工機などの装置を用いて自動で芯材５から複数のパーツ６０Ａ〜６０Ｎを切り出すこともできる。
【００３２】
なお、線図４は、図２では、造形対象物１の各部位１０Ａ〜１０Ｎが実物同様に隣接して表現されているが、各部位１０Ａ〜１０Ｎが互いに間隔をあけた状態で表現されていてもよい。ルーターなどを用いて造形対象物１の各部位１０Ａ〜１０Ｎの輪郭に沿って芯材５をカットする場合には、刃が太いため、各部位１０Ａ〜１０Ｎ同士の間隔があいていることで、精密に芯材５をカットして複数のパーツ６０Ａ〜６０Ｎを切り出すことができる。
【００３３】
芯材５は、例えばポリスチレン、ポリプロピレン、ポリエチレン、ポリウレタン、ポリエチレンテレフタラート、ポリカーボネートなどの合成樹脂の発泡体を用いることができる。芯材５が発泡樹脂からなることで、完成形の立体造形物の重量を軽くすることができる。なお、芯材５の素材は発泡樹脂に限定されるものではなく、例えば木材、木質繊維板（例えばＭＤＦ）などの合成木材などを用いることができ、彫刻・切削可能なものであればよい。芯材５の縦幅Ｌ、横幅Ｗ及び厚みＴは、特に限定されるものではなく様々な大きさとすることができ、完成形の立体造形物１００（図９に示す）の縦幅、横幅及び最大厚み（二次元平面を三次元立体にするにあたって加わる平面から飛び出す高さ）に応じて適宜設定される。
【００３４】
造形工程Ｓ１では、次に、芯材５から切り出した複数のパーツ６０Ａ〜６０Ｎについて、パーツ毎に造形対象物１の対応する部位に応じた所定の形状となるよう加工する作業（加工工程Ｓ１２）が行われる。具体的には、平面画像における造形対象物１の各部位１０Ａ〜１０Ｎについて、それぞれ完成形の立体造形物ではどのような形体・寸法になるかを想定し、図４に示すように、対応する各パーツ６０Ａ〜６０Ｎの形状がそれぞれ想定した形状となるように各パーツ６０Ａ〜６０Ｎを彫刻、切削などにより加工する。そして、加工工程Ｓ１２により所定の形状とされた複数のパーツ６０Ａ〜６０Ｎを組み合わせることで、図５に示すように、平面画像に表された造形対象物１を立体的に表した本体６が造形される。
【００３５】
なお、加工工程Ｓ１２では、完成形の立体造形物を想定して、例えば、本体６を構成する各パーツ６０Ａ〜６０Ｎの角を落として面取りしたり、各パーツ６０Ａ〜６０Ｎの表面を削って滑らかにする又は凹凸をつけるなどの表面形状を整形したりすることで、本体６の見た目が完成形の立体造形物に近づくよう調整する作業も行われる。
【００３６】
造形工程Ｓ１後のコーティング工程Ｓ２では、図示は省略するが、本体６の表面に下地材を塗布して表面を保護する作業が行われる。下地材のコーティングにより、本体６の表面の性質（例えば強度や耐久性など）を高めることができるうえ本体６の表面の円滑化を図ることができる。さらに、本体６の表面に対するラッピングシール８の接着性を向上することができる。下地材としては、例えば、水性のウレタン樹脂塗料、エポキシ樹脂塗料、アクリル樹脂塗料などを挙げることができるが、本体６の表面処理に用いることができるものであれば特に限定されない。本実施形態では、本体６を構成する各パーツ５０Ａ〜５０Ｎの表面に対して個別に下地材をコーティングする。
【００３７】
コーティング工程Ｓ２後のデータ化工程Ｓ３では、後述する本体６の表面に貼り付けるラッピングシール８Ａ〜８Ｎを作成するために、平面画像をデータ化して造形対象物の画像データを作成する作業が行われる。データ化工程Ｓ３では、まずは、平面画像を画像データとして取り込む作業（データ収集工程Ｓ３０）が行われる。平面画像を取り込む方法としては、例えば平面画像をスキャニングしたり、カメラで撮像したりすることが挙げられるが、特にこれらに限定されるものではない。取り込まれた画像データは、各種演算機能を有するコンピュータに保存される。コンピュータは、ハードウェア構成として、図示しないＣＰＵ、メモリ及び補助記憶装置（ＨＤＤ）などを備えており、ＣＰＵがＨＤＤに記憶されている各種プログラムをメモリに読み出して実行することにより、各種演算処理を実行するものである。コンピュータとしては、例えば据置型のコンピュータ、ＰＤＡなどの携帯型のコンピュータ、多機能携帯電話（スマートフォン）などを用いることができる。平面画像の画像データは、公知の種々のデータ補正方法を用いて画像を鮮明にしたり修正したりすることができる。
【００３８】
データ化工程Ｓ３では、次に、取り込んだ画像データに基づいて造形対象物１の部位毎に画像データを作成する作業（データ作成工程Ｓ３１）が行われる。具体的には、図６に示すように、取り込んだ画像データから、造形対象物１の各部位１０Ａ〜１０Ｎのそれぞれに対して、各部位１０Ａ〜１０Ｎに応じた画像データ７Ａ〜７Ｎを作成する。なお、図６では、部位１０Ａ，１０Ｃ，１０Ｉ，１０Ｋにそれぞれ対応した画像データ７Ａ，７Ｃ，７Ｉ，７Ｋだけが示されており、その他の部位に対応した画像データについては省略されている。
【００３９】
このデータ作成工程Ｓ３１において、本実施形態では、造形対象物１の各部位１０Ａ〜１０Ｎに対応する画像データ７Ａ〜７Ｎは、取り込んだ画像データから造形対象物１の該部位の輪郭で切り取った実画像データ７０Ａ〜７０Ｎを拡張することで形成されている。具体的には、画像データ７Ａ〜７Ｎが、実画像データ７０Ａ〜７０Ｎと、実画像データ７０Ａ〜７０Ｎの周囲の少なくとも一部に付け加えられた付加画像データ７１Ａ〜７１Ｎとで構成されている。実画像データ７０Ａ〜７０Ｎは、本体６を構成する各パーツ６０Ａ〜６０Ｎの表面のうち、上面の大きさに一致又はほぼ一致している。一方で、本体６を構成する各パーツ６０Ａ〜６０Ｎは、平面画像を立体化しているため、上面に加えて厚みの分だけ側面を有しており、実画像データ７０Ａ〜７０Ｎだけでは各パーツ６０Ａ〜６０Ｎの側面をカバーすることが難しい。そのため、本実施形態では、各パーツ６０Ａ〜６０Ｎの上面だけでなく側面もカバーできるように各パーツ６０Ａ〜６０Ｎの厚みを考慮してパーツ毎に実画像データ７０Ａ〜７０Ｎの周囲に、実画像データ７０Ａ〜７０Ｎを元に作成した付加画像データ７１Ａ〜７１Ｎを付け加えることで、平面画像を立体化したときに足りなくなる各パーツ６０Ａ〜６０Ｎの側面についても画像データ７Ａ〜７Ｎでカバーすることが可能である。
【００４０】
なお、実画像データ７０Ａ〜７０Ｎを拡張することで画像データ７Ａ〜７Ｎを形成する方法としては、上述した実画像データ７０Ａ〜７０Ｎへの付加画像データ７１Ａ〜７１Ｂの付加以外に、実画像データ７０Ａ〜７０Ｎを拡大したり、その一部を引き伸ばしたりしてもよい。
【００４１】
データ化工程Ｓ３後のシール作成工程Ｓ４では、データ化工程Ｓ３で作成した平面画像における造形対象物１の各部位１０Ａ〜１０Ｎの画像データ７Ａ〜７Ｎを用いて、各画像データ７Ａ〜７Ｎが印刷された複数のラッピングシール８Ａ〜８Ｎ（図７に示す）を作成する作業が行われる。ラッピングシール８Ａ〜８Ｎは、例えば紙やフィルムで構成することができ、予め粘着剤や接着剤などが裏面に塗布されていてもよいし、表面に画像データ７Ａ〜７Ｎが印刷された後に裏面に粘着剤や接着剤などを塗布してもよい。印刷の方法は、特に限定されるものではなく、公知の印刷方法を用いて行うことができる。なお、図７では、画像データ７Ａ，７Ｃ，７Ｉ，７Ｋがそれぞれ印刷されたラッピングシール８Ａ，８Ｃ，８Ｉ，８Ｋだけが示されており、その他の画像データが印刷されたラッピングシールについては省略されている。また、以下の説明では、複数のラッピングシール８Ａ〜８Ｎをまとめてラッピングシール８と表示する場合がある。
【００４２】
シール作成工程Ｓ４後の貼付工程Ｓ５では、本体６の表面にラッピングシール８Ａ〜８Ｎを貼り付ける作業が行われる。具体的に本実施形態では、図７に示すように、本体６を構成する各パーツ６０Ａ〜６０Ｎの表面に、パーツ毎に複数のラッピングシール８Ａ〜８Ｎの中の対応するラッピングシールを貼り付ける。本実施形態では、各パーツ６０Ａ〜６０Ｎの上面及び側面にラッピングシール８Ａ〜８Ｎが貼り付けられるため、図８に示すように各パーツ６０Ａ〜６０Ｎを組み合わせて本体６を構成した際には、各ラッピングシール８Ａ〜８Ｎ（例えばラッピングシール８Ｃ）は、自身が貼り付けられているパーツ６０Ａ〜６０Ｎ（例えばパーツ６０Ｃ）と該パーツに隣接する他のパーツ６０Ａ〜６０Ｎ（例えばパーツ６０Ａ，６０Ｅ，６０Ｈ，６０Ｉ）との間にその一部が挟まれた状態となる。
【００４３】
造形工程Ｓ１により複数のパーツ６０Ａ〜６０Ｎが切り出された後の芯材５（図３に示す）は、後述するように、平面画像の立体的に表されない背景の部分を構成するのに用いられる。
【００４４】
本実施形態の平面画像の立体化法は、図１に示すように、造形工程Ｓ１後の本体（複数のパーツ）が切り出された芯材を薄く加工する薄肉化工程Ｓ６０と、薄肉化工程Ｓ６０後の芯材の表面に下地材を塗布するコーティング工程Ｓ６１と、コーティング工程Ｓ６１後の芯材の表面に背景を施す背景入れ工程Ｓ６２と、貼付工程Ｓ５後の本体を背景入れ工程Ｓ８後の芯材と一体化する一体化工程Ｓ７と、をさらに含んでいる。薄肉化工程Ｓ６０、コーティング工程Ｓ６１及び背景入れ工程Ｓ６２が、背景作成工程Ｓ６に相当する。以下、各工程について詳細に説明する。
【００４５】
まず、薄肉化工程Ｓ６０では、厚みＴ（図３に示す）が、図４に示す加工後の複数のパーツ６０Ａ〜６０Ｎよりも薄くなるように芯材５を加工する作業が行われる。薄肉化工程Ｓ６により芯材５が、図４に示すようにその厚みが複数のパーツ６０Ａ〜６０Ｎの厚みよりも薄い板材とされることで、複数のパーツ６０Ａ〜６０Ｎを芯材５に嵌め込んで芯材５と一体化した際に、複数のパーツ６０Ａ〜６０Ｎの組み合わせからなる三次元立体の本体６を、背景となる二次元平面の芯材５から飛び出たものとすることができる。なお、本実施形態では、芯材５の裏面に補強板５０が貼り付けられているが、補強板５０は必ずしも必要ではない。また、薄肉化工程Ｓ６０後の芯材５の表面は平坦であってもよいし凸凹していてもよい。
【００４６】
薄肉化工程Ｓ６０後のコーティング工程Ｓ６１では、図示は省略するが、芯材５の表面に下地材を塗布して芯材５の表面を保護する作業が行われる。下地材のコーティングにより、芯材５の表面の性質（例えば強度や耐久性など）を高めることができるうえ芯材５の表面の円滑化を図ることができる。さらに、芯材５の表面に対するラッピングシール９の接着性を向上することができる。下地材としては、例えば本体６の表面処理に用いるものと同じものを用いることができる。
【００４７】
コーティング工程Ｓ６１後の背景入れ工程Ｓ６２では、芯材５の表面に背景を施す作業が行われる。例えば本体６と同様に、平面画像を取り込んで作成した画像データから、平面画像において背景の部分についての画像データ（背景画像データ）を作成した後、この背景画像データが印刷されたラッピングシール９を作成して、該ラッピングシール９を芯材５の表面に貼り付けることで、芯材５の表面に背景を施すことができる。なお、芯材５の表面に背景を施す方法としては、特に限定されるものではなく、例えば、鉛筆や絵の具、マーカーなどを用いて芯材５の表面に絵を描いてもよい。
【００４８】
背景入れ工程Ｓ６２後の一体化工程Ｓ７では、背景作成工程Ｓ６後の芯材５に対して貼付工程Ｓ５後の複数のパーツ６０Ａ〜６０Ｎを組み合わせて一体化する作業が行われる。複数のパーツ６０Ａ〜６０Ｎを接着剤などによって互いに接合して本体６を組み上げながら本体６を芯材５に接着剤などによって接合することで、図９に示すように立体造形物１００が製造される。なお、立体造形物１００の表面には、例えば細かな形状を施したり光沢を持たせたりするなどの仕上げ作業を行ってもよい。
【００４９】
上述した本実施形態によると、写真などの平面画像があれば、例えば会社の商品やキャラクターを高い精度でリアルに立体化することが可能である。そのため、立体看板などの立体造形物１００の発注者は、簡単に発注することができるうえ、完成後の立体造形物のおおよその仕上がりを事前に把握することができる。
【００５０】
また本実施形態によると、製造される立体造形物１００は、素材が主に発泡樹脂からなる芯材５であるため、軽量である。よって、発注者は立体造形物１００の輸送や取付けを簡便に行うことが可能であり、これらの作業に対して労力やコストが嵩むことがない。
【００５１】
また本実施形態によると、造形対象物１の形象の平面画像（例えば写真）に由来した画像データが印刷されたラッピングシール８を用いて本体６の表面にデザインを施しているため、従来の方法で必要であった塗装の工程が不要となる。よって、立体造形物１００を製造するための材料費が低額であり、材料の硬化や乾燥に要する時間がなくなるうえ、立体造形物１００を製造するにあたり、専門的知識や高度な技術が必要とされる場面が少なくなる。よって、立体造形物１００の製造を行う作業者は簡易かつ短い作業時間で立体造形物１００を製造することができる。その結果、立体造形物１００を低価格にすることができるうえ、作業者により完成後の立体造形物の出来に大きな差が出ることがない。
【００５２】
また本実施形態によると、立体形状とされる本体６が芯材５の彫刻によって造形されるため、従来から一般的に本体を造形するのに行われている、例えば粘土などを用いて原型を制作し、石膏などで型取りを行ってメス型を制作した後、メス型にＦＲＰなどの主剤を注入し、主剤の硬化後、脱型して立体造形物の本体を造形するといった作業が不要となる。よって、立体造形物１００の製造を行う作業者はさらに簡易かつ短い作業時間で立体造形物１００を製造することができる。
【００５３】
図１０は、本実施形態の平面画像の立体化法と従来の立体造形法の中で最も作業時間の短い硬質ウレタンを散布する立体造形法とについて、工程の簡略手順及び各工程での作業時間を比較した説明図である。なお、作業時間はあくまでも目安である。また、造形対象物１の形象の平面画像には写真を用いている。
【００５４】
本実施形態の平面画像の立体化法と従来の立体造形法とを比較すると、本実施形態では、まず、本体を立体形状に造形する時間を大幅に短縮することが可能であることが分かる。また、硬質ウレタンを散布しないため、硬質ウレタンを散布する高額な設備も不要である。さらに、本実施形態では、本体の表面を塗装しないため、塗装に要する時間や材料の乾燥・硬化時間を大幅に短縮することが可能であることが分かる。
【００５５】
このように本実施形態によると、従来の立体造形方法における課題であった「高価格」、「高い専門的知識・技術の要求」を解決することができ、低価格で簡易にかつ誰でも出来に大きな差がなく立体造形物を製造することができる。
【００５６】
さらに本実施形態によると、製造される立体造形物１００は、本体６が複数のパーツ６０Ａ〜６０Ｎに分割されており、複数のパーツ６０〜６０Ｎをパーツ毎に造形対象物１の対応する部位に応じた所定の形状となるよう加工した後、複数のパーツ６０Ａ〜６０Ｎを再度組み合わせることにより本体６が立体形状とされている。よって、本体６をより簡易に立体形状に造形することができるため、より短い作業時間で立体造形物１００を製造することができる。
【００５７】
加えて、造形対象物１は各部位１０Ａ〜１０Ｎの境目で形が大きく変わるが、立体造形物１００の本体６を複数のパーツ６０Ａ〜６０Ｎで構成することで、立体造形物１００においてこの形の変わり目をシャープに造形することができる。よって、立体造形物１００をより再現性高く製造することができ、リアルで完成度の高いものとすることができる。
【００５８】
さらに本実施形態によると、製造される立体造形物１００は、ラッピングシール８Ａ〜８Ｎにより本体６を構成する各パーツ６０Ａ〜６０Ｎの上面だけでなく側面も被覆されている。そのため、立体造形物１００の美観を高めることができる。加えて、各パーツ６０Ａ〜６０Ｎの表面に貼り付けられたラッピングシール８Ａ〜８Ｎは、その一部が隣接する他のパーツ６０Ａ〜６０Ｎとの間に挟まれているので、ラッピングシール８Ａ〜８Ｎが捲れ上がってパーツ６０Ａ〜６０Ｎから剥がれることが抑制される。よって、立体造形物１００の美観が下がることを防止することができる。
【００５９】
さらに本実施形態によると、製造される立体造形物１００は、三次元立体の本体６が、背景が施された二次元平面の板材（本実施形態では芯材５）から飛び出たものとされているので、立体と平面との組み合わせにより、三次元立体の本体６が強調され、三次元立体の本体６をよりリアルに見せることができる。
【００６０】
さらに本実施形態によると、ラッピングシール８を貼り付ける前の本体６を原型として用いることで、メス型を容易に製造することができる。
【００６１】
このメス型の製造方法は、具体的には、図１３に示すように、厚みを有する芯材を彫刻して、造形対象物の形象の平面画像を立体的に表した本体６を造形する造形工程と、本体６の表面に下地材を塗布するコーティング工程と、本体６を原型として用いることでメス型１１を製造する型作成工程と、メス型１１から本体６を取り外す脱型工程と、を含む。造形工程では、上述したＳ１の工程と同様にして、平面画像において造形対象物を複数の部位に区分けし、芯材から造形対象物の各部位の輪郭に沿った複数のパーツ６０Ｘ〜６０Ｚを切り出し、複数のパーツ６０Ｘ〜６０Ｚをパーツ毎に造形対象物の対応する部位に応じた所定の形状となるよう加工することで複数のパーツ６０Ｘ〜６０Ｚの組み合わせにより本体６を造形する。コーティング工程は、上述したＳ２の工程と同様にして行うことができる。これにより、平面画像を立体化した立体造形物を製造するために用いるメス型１１を容易に製造することができるので、立体造形物を容易に製造することができる。
【００６２】
また、造形対象物１の全体画像データが印刷された１枚のラッピングシール８が表面に貼り付けられたプラスチック板もしくは造形対象物１の全体画像データが表面に直接印刷されたプラスチック板を本体６上に配置し、本体６を型にしてプラスチック板を、本体６との間をバキュームしながらヒートプレスした後、脱型して仕上げる。これにより、表面に造形対象物１の画像データが印刷されたラッピングシール８を貼付したもしくは造形対象物１の画像データを印刷した内照式の立体プレートを容易に製造することができる。この立体プレートは、複数重ね合わせて一体化する、又は、複数を周方向に並べて一体化することで、後述する図１２に示す造形対象物のように、３６０°全周にわたって立体化してもよい。
【００６３】
この立体プレートの製造方法は、具体的には、図１４に示すように、造形対象物の形象の平面画像１２を立体的に表した本体６を造形する造形工程と、本体６の表面に下地材を塗布するコーティング工程と、平面画像１２に基づいて造形対象物の画像データを作成するデータ化工程と、造形対象物の画像データが印刷されたラッピングシール８が表面に貼り付けられたプラスチック板１３、もしくは造形対象物の画像データが表面に直接印刷されたプラスチック板（図示せず）を本体６上に配置して、プラスチック板１３の表面に対して、プラスチック板１３と本体６との間をバキュームしながらヒートプレスするヒートプレス工程と、プラスチック板１３から本体６を取り外す脱型工程と、を含む。造形工程では、例えば上述したＳ１の工程と同様にして、平面画像１２において造形対象物を複数の部位に区分けし、芯材から造形対象物の各部位の輪郭に沿った複数のパーツ６０Ｘ〜６０Ｚを切り出し、複数のパーツ６０Ｘ〜６０Ｚをパーツ毎に造形対象物の対応する部位に応じた所定の形状となるよう加工することで複数のパーツ６０Ｘ〜６０Ｚの組み合わせにより本体６を造形する。これにより、本体６に対してプラスチック板１３をバキュームしながらヒートプレスする際に、本体６の各パーツ６０Ｘ〜６０Ｚの隙間から空気が抜けるので、空気を効果的に排出することができる。なお、コーティング工程、データ化工程、及びラッピングシール８を作成する工程は、上述したＳ２〜Ｓ４の工程と同様にして行うことができる。プラスチック板１３が透光性であることで立体プレート１４を内照式とできるが、プラスチック板１３は不透光性であってもよい。なお、図１４では、ラッピングシール８付きのプラスチック板１３を本体６にヒートプレスした後に本体６をプラスチック板１３から取り外すことで、立体プレート１４を製造している。しかし、これに限らず、本体６の外面にＦＲＰを貼り込む・吹き付けた後に硬化させることで、本体６の外面にＦＲＰからなるプレート基部を製造し、その後、プレート基部から本体６を取り外し、プレート基部の表面に造形対象物の画像データが印刷されたラッピングシール８を貼り付けることで、立体プレートを製造することもできる。
【００６４】
また、立体プレート１４は、次の方法によっても製造することができる。具体的には、図１５に示すように、造形対象物の形象の平面画像１２を立体的に表した本体６を造形する造形工程であって、平面画像１２において造形対象物を複数の部位に区分けし、本体６を造形対象物の複数の部位に対応して複数のパーツ６０Ｘ〜６０Ｚに分割し、複数のパーツ６０Ｘ〜６０Ｚをパーツ毎に造形対象物の対応する部位に応じた所定の形状となるよう加工する造形工程と、各パーツ６０Ｘ〜６０Ｚの表面に下地材を塗布するコーティング工程と、平面画像１２に基づいて造形対象物の画像データを作成するデータ化工程であって、造形対象物の部位毎に画像データを作成するデータ化工程と、造形対象物の部位毎の画像データが印刷された複数のラッピングシール８Ｘ〜８Ｚが個別に表面に貼り付けられた複数のプラスチック板１３Ｘ〜１３Ｚ、もしくは造形対象物の部位毎の画像データが個別に表面に直接印刷された複数のプラスチック板（図示せず）を複数のパーツ６０Ｘ〜６０Ｚ上に配置し、プラスチック板１３Ｘ〜１３Ｚの表面に対して、パーツ毎に対応するプラスチック板とパーツとの間をバキュームしながらヒートプレスするヒートプレス工程と、複数のプラスチック板１３Ｘ〜１３Ｚから複数のパーツ６０Ｘ〜６０Ｚを取り外す脱型工程と、複数のプラスチック板１３Ｘ〜１３Ｚを組み合わせて一体化する組立工程と、を含む。造形工程では、例えば上述したＳ１の工程と同様にして、平面画像１２において造形対象物を複数の部位に区分けし、芯材から造形対象物の各部位の輪郭に沿った複数のパーツ６０Ｘ〜６０Ｚを切り出し、複数のパーツ６０Ｘ〜６０Ｚをパーツ毎に造形対象物の対応する部位に応じた所定の形状となるよう加工することで本体６を造形することができる。複数のプラスチック板１３Ｘ〜１３Ｚは、対応するパーツ６０Ｘ〜６０Ｚの表面（各パーツ６０Ｘ〜６０Ｚを組み合わせた際の露出する面）を覆う本体部分で主に構成されていてもよい。ただし、図１５に示すように、複数のプラスチック板１３Ｘ〜１３Ｚは、対応するパーツ６０Ｘ〜６０Ｚの側面（各パーツ６０Ｘ〜６０Ｚを組み合わせた際に互いに合わさって露出しない面）の少なくも一部を覆う糊代部分も含むことで、この糊代部分同士を貼り合わせて各パーツ６０Ｘ〜６０Ｚを組み合わせることにより、各パーツ６０Ｘ〜６０Ｚを良好に一体化できるので好ましい。なお、コーティング工程、データ化工程、及びラッピングシール８を作成する工程は、上述したＳ２〜Ｓ４の工程と同様にして行うことができる。なお、図１５では、ラッピングシール８Ｘ〜８Ｚ付きのプラスチック板１３Ｘ〜１３Ｚを本体６のパーツ６０Ｘ〜６０Ｚにヒートプレスした後にパーツ６０Ｘ〜６０Ｚをプラスチック板１３Ｘ〜１３Ｚから取り外すことで、立体プレート１４を製造している。しかし、これに限らず、本体６のパーツ６０Ｘ〜６０Ｚの外面にＦＲＰを貼り込む・吹き付けた後に硬化させることで、本体６のパーツ６０Ｘ〜６０Ｚの外面にＦＲＰからなるプレート基部を製造し、その後、各プレート基部から本体６のパーツ６０Ｘ〜６０Ｚを取り外し、各プレート基部の表面に造形対象物の部位毎の画像データが印刷されたラッピングシール８Ｘ〜８Ｚを貼り付けて、各プレート基部を一体化することで、立体プレートを製造することもできる。
【００６５】
以上、本発明の実施形態について説明したが、本発明は上記実施形態に限定されるものではなく、本発明の趣旨を逸脱しない限りにおいて種々の変更が可能である。
【００６６】
例えば上記実施形態において、各ラッピングシール８Ａ〜８Ｎは、対応するパーツ６０Ａ〜６０Ｎの側面の全てを必ずしも被覆するものでなくてもよく、対応するパーツ６０Ａ〜６０Ｎの側面のうち外部から見える領域について被覆することができるものであればよい。
【００６７】
また上記実施形態では、本体６の複数のパーツ６０Ａ〜６０Ｎの表面に対して、造形対象物１の部位毎の画像データが印刷された複数枚のラッピングシール８Ａ〜８Ｎを個別に対応するパーツに貼り付けた後、複数のパーツ６０Ａ〜６０Ｎを互いに接合して本体６としている。しかしこれに限らず、図１１の変形例１に示すように、複数のパーツ６０Ａ〜６０Ｎを互いに接合して本体６とした後、本体６を構成する複数のパーツ６０Ａ〜６０Ｎの表面に対して、複数枚のラッピングシール８Ａ〜８Ｎを個別に対応するパーツに貼り付けてもよい。変形例１では、複数枚のラッピングシール８Ａ〜８Ｎは、際の部分を互いに重ね合わせてもよいし、本体６の隣り合うパーツの境目で押し込めるように構成してもよい。あるいは、図１１の変形例２に示すように、複数のパーツ６０Ａ〜６０Ｎを互いに組み合わせて本体６とした後、本体２を構成する複数のパーツ６０Ａ〜６０Ｎの表面に対して、造形対象物１の全体画像データが印刷された１枚のラッピングシール８をまとめて貼り付けてもよい。この際には、本体６とラッピングシール８との間の空気を吸い出しながら行うことが好ましく、本体６が複数のパーツ６０Ａ〜６０Ｎに分けられていることで各パーツの６０Ａ〜６０Ｎの隙間から空気が効果的に抜けるので、本体６にラッピングシール８を良好に密着させることができる。変形例１，２では、コーティング工程Ｓ２では、本体６を構成する各パーツ５０Ａ〜５０Ｎの表面に対して個別に下地材をコーティングするのではなく、図１１に示すように、まとめて下地材をコーティングしてもよい。
【００６８】
また上記実施形態では、本体６を複数のパーツ６０Ａ〜６０Ｎに分割しているが、造形対象物１が例えば凹凸の少ない形状である場合などには、図１１の変形例３，４に示すように、本体６を複数のパーツ６０Ａ〜６０Ｎに分割することなく立体形状に造形してもよい。この場合には、図１１の変形例４に示すように、本体６の表面に、造形対象物１の全体画像データが印刷された１枚のラッピングシール８を貼り付けてもよいし、図１１の変形例３に示すように、造形対象物１の部位毎の画像データが印刷された複数枚のラッピングシール８Ａ〜８Ｎを個別に本体６の対応する部位の表面に貼り付けてもよい。変形例３では、複数枚のラッピングシール８Ａ〜８Ｎは、際の部分を互いに重ね合わせてもよいし、本体６の隣り合う部位の境目で押し込めるように構成してもよい。変形例４では、本体６とラッピングシール８との間の空気を吸い出しながら行うことが好ましく、本体６に１又は複数の空気吸出し用の穴を形成することで、当該穴から空気が効果的に抜けるので、本体６にラッピングシール８を良好に密着させることができる。変形例３，４では、造形工程Ｓ１において、芯材５から本体６を切り出して所定の形状に造形する。また、背景作成工程Ｓ６では、本体６が切り出された芯材５を本体６よりも薄く加工した後、芯材５の表面に背景を施し、一体化工程Ｓ７では、貼付工程Ｓ５後の本体６を背景作成工程Ｓ６後の芯材５に嵌め込んで芯材５と一体化する。
【００６９】
また上記実施形態では、３次元立体の本体６を２次元平面の芯材５と一体化しているが、本体６を一体化させる２次元平面は必ずしも本体６（複数のパーツ６０Ａ〜６０Ｎ）を切り出した芯材５である必要はなく、他の板材であってもよい。この実施形態では、背景作成工程Ｓ６では、板材の表面において本体６を位置させる領域の周囲に背景を施し、一体化工程Ｓ７では、貼付工程Ｓ５後の本体６を前記領域に位置するように背景作成工程Ｓ６後の板材の表面に設置して板材と一体化する。
【００７０】
また上記実施形態では、３次元立体の本体６を２次元平面の芯材５と一体化しているが、本体６は必ずしも２次元平面と一体化させる必要はない。例えば、図１２の変形例５〜７に示すように、造形対象物の形象に関する複数の平面画像をもとにして複数の本体を造形し、その後、表面に下地材のコーティング及びラッピングシールの貼り付けを行った複数の本体を重ね合わせて一体化する、又は、複数の本体を周方向に並べて一体化することで、造形対象物を３６０°全周にわたって立体化した立体造形物を製造してもよい。
【００７１】
あるいは、図示は省略するが、造形対象物の形象に関する複数の平面画像をもとにして造形対象物を３６０°全周にわたって立体化した本体を造形し、その後、本体の表面に下地材をコーティングし、さらに、造形対象物の全体画像データが印刷された１枚のラッピングシールを本体の表面に貼り付ける、又は、造形対象物の部位毎の画像データが印刷された複数枚のラッピングシールを個別に本体の対応する部位の表面に貼り付けることで、造形対象物を３６０°全周にわたって立体化した立体造形物１００を製造してもよい。複数枚のラッピングシールを貼り付ける場合、際の部分を互いに重ね合わせてもよいし、本体の隣り合う部位の境目で押し込めるように構成してもよい。
【００７２】
また上記実施形態では、立体造形物１００や立体プレート１４の製造の際に、合成樹脂の発泡体などの芯材５を彫刻することにより本体６を造形しているが、本体６の立体造形方法はこれに限られるものではない。例えば、本体６が粘土からなり、粘土を例えば手作業で成形する又は型の内面に粘土を貼り込むなどして成形加工することで本体６を造形してもよい。あるいは、本体６がプラスチックやＦＲＰなどの繊維強化プラスチックからなり、樹脂を型の内部に流し込む又は型の内面に貼り込む・吹き付けるなどして成形加工することで本体６を造形してもよい。あるいは、本体６を３Ｄプリンタ等の積層造形法やその他の３次元造形法を用いて造形してもよい。
【００７３】
この実施形態においても、本体６を複数のパーツ６０Ａ〜６０Ｎに分け、複数のパーツ６０Ａ〜６０Ｎをパーツ毎に所定の形状となるよう加工して、複数のパーツ６０Ａ〜６０Ｎを組み合わせることで本体６を造形してもよい。
【００７４】
具体的に、造形工程では、平面画像において造形対象物を複数の部位に区分けし、本体６を造形対象物の複数の部位に対応して複数のパーツに分割し、複数のパーツをパーツ毎に対応する造形対象物の部位に応じた所定の形状となるよう加工することで、複数のパーツの組み合わせにより本体を造形する。そして、ラッピングシールについては、上記実施形態と同様、データ化工程において、造形対象物の部位毎に画像データを作成し、シール作成工程において、造形対象物の部位毎の画像データが印刷された複数のラッピングシールを作成する。そして、貼付工程において、複数のパーツの表面に、パーツ毎に複数のラッピングシールの中の対応するラッピングシールを貼り付けることで、本体を芯材の彫刻により造形しなくても、立体造形物を製造することができる。
【００７５】
また、図１１の変形例２と同様に、造形対象物の全体画像データが印刷された１枚のラッピングシールを、本体を構成する複数のパーツの表面に対してまとめて貼り付けてもよい。具体的には、造形工程では、平面画像において造形対象物を複数の部位に区分けし、本体を造形対象物の複数の部位に対応して複数のパーツに分割し、複数のパーツをパーツ毎に対応する造形対象物の部位に応じた所定形状となるよう加工することで、複数のパーツの組み合わせにより本体を造形する。そして、貼付工程において、複数のパーツの表面に、１枚のラッピングシールをまとめて貼り付けることで、本体を芯材の彫刻により造形しなくても、立体造形物を製造することができる。
【００７６】
また、図１１の変形例３と同様に、本体を複数のパーツに分割することなく立体形状に造形するとともに、造形対象物の部位毎の画像データが印刷された複数枚のラッピングシールを個別に本体の対応する部位の表面に貼り付けてもよい。具体的には、造形工程では、造形対象物の形象の平面画像を立体的に表した本体を造形し、データ化工程では、平面画像において複数の部位に区分けされた造形対象物の部位毎に画像データを作成し、シール作成工程では、造形対象物の部位毎の画像データが印刷された複数のラッピングシールを作成し、そして、貼付工程において、複数のラッピングシールを個別に本体の対応する部位の表面に貼り付けることで、本体を芯材の彫刻により造形しなくても、立体造形物を製造することができる。
【００７７】
これらの実施形態においても、３次元立体の本体を２次元平面の板材と一体化してもよい。具体的には、背景作成工程では、板材の表面において本体を位置させる領域の周囲に背景を施し、一体化工程において、貼付工程後の本体を前記領域に位置するように背景作成工程後の板材の表面に設置して板材と一体化する。
【００７８】
また上記実施形態では、造形対象物について、１枚の平面画像に基づいて造形対象物を１８０度立体的に表した本体を造形しているが、造形工程では、造形対象物の形象を異なる角度から描写した複数枚の平面画像を用い、複数枚の平面画像に基づいて造形対象物を３６０度立体的に表した本体を造形してもよい。この場合には、データ化工程とシール作成工程では、複数枚の平面画像に基づいて造形対象物の複数の画像データを作成して各画像データが印刷された複数枚のラッピングシールを作成する。そして、貼付工程では、複数枚のラッピングシールを個別に、本体の対応する部位の表面に貼り付けることで、立体造形物を製造する。なお、複数枚のラッピングシールは、際の部分を互いに重ね合わせてもよいし、本体の隣り合う部位の境目で押し込めるように構成してもよい。
【符号の説明】
【００７９】
１    造形対象物
１０Ａ〜１０Ｎ  部位
２    背景
３    平面画像
５    芯材
６    本体
６０Ａ〜６０Ｎ  パーツ
７Ａ〜７Ｎ  画像データ
８Ａ〜８Ｎ  ラッピングシール
【図１】
0006841461.tif 000002
【図２】
0006841461.tif 000003
【図３】
0006841461.tif 000004
【図４】
0006841461.tif 000005
【図５】
0006841461.tif 000006
【図６】
0006841461.tif 000007
【図７】
0006841461.tif 000008
【図８】
0006841461.tif 000009
【図９】
0006841461.tif 000010
【図１０】
0006841461.tif 000011
【図１１】
0006841461.tif 000012
【図１２】
0006841461.tif 000013
【図１３】
0006841461.tif 000014
【図１４】
0006841461.tif 000015
【図１５】
0006841461.tif 000016